(57)【要約】【課題】軸を支点に回動する注油口キャップを備えた給油タンクで、給油後のタンク本体の天地逆を簡単な構成で容易に行えるようにしたカートリッジ式給油タンクを提供する。【解決手段】タンク本体１の上面には起伏自在のタンク取手４９を設け、底面の注油口３には、軸２５を支点として起伏自在とした基部８に設けた注油口キャップ７を密接すると共に、この密接状態を保持及び解除する係止手段を備えたもので、前記タンク本体１の注油口３側には起伏自在の注油口側取手５０を設け、この注油口側取手５０は伏せ時タンク本体１から出っ張らず且つ基部８上面より突出しないようにすることにより、タンク本体１を破損する危険もなく、誰でも簡単にタンク本体１の天地を逆にすることが出来るものであり、又注油口側取手５０は伏せ時にはタンク本体１から出っ張らず、基部８上面より突出しないので、器具本体への収納時に邪魔にならない。【選択図】  図２
2005188895.tif 000002
【特許請求の範囲】
【請求項１】
タンク本体の上面には起伏自在のタンク取手を設け、底面の注油口には、軸を支点として起伏自在とした基部に設けた注油口キャップを密接すると共に、この密接状態を保持及び解除する係止手段を備えたものに於いて、前記タンク本体の注油口側には起伏自在の注油口側取手を設け、この注油口側取手は伏せ時タンク本体から出っ張らず且つ基部上面より突出しないようにした事を特徴とするカートリッジ式給油タンク。
【請求項２】
前記注油口側取手は、常に伏せ方向に付勢する付勢手段を備えると共に、伏せ時には基部の軸側に位置するようにした事を特徴とする請求項１記載のカートリッジ式給油タンク。
【発明の詳細な説明】
【技術分野】
【０００１】
この発明は、石油ストーブや石油ファンヒーターで使用されるカートリッジ式給油タンクに関するものである。
【背景技術】
【０００２】
従来よりこの種のものでは、タンク本体の注油口に、軸を支点として起伏自在とした基部に設けた注油口キャップを密接すると共に、この密接状態を保持及び解除する係止手段を備え、手を汚すことなく注油口の開閉が行えるようにしたものであった。（例えば、特許文献１参照。）
【特許文献１】特公平５−２６０９６号公報
【発明の開示】
【発明が解決しようとする課題】
【０００３】
ところでこの従来のものでは、タンク取手が注油口とは反対側の面にしかないので、注油口を上にしての給油後にタンク取手を持ってタンク本体を持ち運ぶには、給油状態のまま床に置いたタンク本体を傾けてタンク取手を握り、一気に天地を逆にするやり方と、何とかタンク本体を持ち上げて、タンク取手を握って天地を逆にするやり方の２通りしかなく、前者の傾ける方法では、誤って倒してしまったり、天地を逆にする時に給油口キャップ部分を床にぶつける危険があり、いずれにしてもタンク本体が破損してしまう危険性を有するものであり、後者の一旦持ち上げる方法では、給油後のタンク本体は重く、特に近年１０Ｌ、７Ｌと言う大型なタンクが増えている中では、持ち上げるだけでも大変な作業となり、これの天地を逆にするなどは、婦女子や老人にとっては過酷できつい作業となるものであった。
【課題を解決するための手段】
【０００４】
この発明はこの点に着目し上記問題点を解決する為、特にその構成を、請求項１では、タンク本体の上面には起伏自在のタンク取手を設け、底面の注油口には、軸を支点として起伏自在とした基部に設けた注油口キャップを密接すると共に、この密接状態を保持及び解除する係止手段を備えたものに於いて、前記タンク本体の注油口側には起伏自在の注油口側取手を設け、この注油口側取手は伏せ時タンク本体から出っ張らず且つ基部上面より突出しないようにしたものである。
【０００５】
又請求項２では、前記注油口側取手は、常に伏せ方向に付勢する付勢手段を備えると共に、伏せ時には基部の軸側に位置するようにしたものである。
【発明の効果】
【０００６】
この発明によれば、タンク本体への給油後は、注油口側取手を持ってタンク本体を持ち上げた状態で、反対側のタンク取手を握ってから天地を逆にすれば良く、タンク本体を破損する危険もなく、誰でも簡単にタンク本体の天地を逆にすることが出来るものであり、又注油口側取手は伏せ時にはタンク本体から出っ張らず、基部上面より突出しないので、器具本体への収納時に邪魔になったり、収納部分を大きくする必要もないものであり、しかも油受皿との寸法関係もそのままで良く、設計しなおす必要もなく安心して使用出来るものである。
【０００７】
更に注油口側取手は、常に伏せ方向に付勢する付勢手段を備えると共に、伏せ時には基部の軸側に位置するようにすれば、取手が基部の回動を邪魔して注油口の開口が出来なくなる心配がなく、極めて使用勝手が良く常に安心して使用出来るものである。
【発明を実施するための最良の形態】
【０００８】
次にこの発明の一実施形態を図面に基づいて説明する。
１は縦長状で周知の石油スト−ブや石油ファンヒ−タ−等の石油燃焼器具２に用いるカ−トリッジ式のタンク本体で、底面に螺子を形成した注油口３を突出開口している。
前記注油口３を設けた底面で且つ注油口３の根元に板状の固定板４を接着剤等の接着手段を介して接着した後、螺子を形成し略ラッパ状の押さえ環５を注油口３に螺合し、その先端の押圧部６で押圧し固定板４を固定し、更にこの時押さえ環５の後端は注油口３の先端より高さを低くしている。
【０００９】
７は固定板４に支持される基部８のほぼ中央より突設した逆凹状の注油口キャップで、該注油口キャップ７の外径は注油口３及び押さえ環５の外径より大と成し、且つその高さは注油口３より低くしている。
９は燃油を落差で供給する給油装置で、注油口キャップ７内中央にカシメられて取り付けられ、開閉弁１０と心棒１１と該開閉弁１０を常に弾設するスプリング１２と連通口１３を有した弁ケ−ス１４とから構成されている。
【００１０】
１５は注油口キャップ７の内面に取り付けられる耐油性で筒状のパッキンで、上下端には外方に延びたテ−パ−部１６・１７が設けられ、更にこのテ−パ−部１６・１７間にはパッキン１５の伸縮をガイドする金属製のガイド筒１８と、パッキン１５の抜けを複数のダボ１９との係止で防止する合成樹脂製のパッキン支持筒２０とを間にコイル状のスプリング２１を介在させて備えている。
前記パッキン１５の両テ−パ−部１６・１７内端には、注油口キャツプ７内面と密接する上舌状部２２と、閉蓋時注油口３上端と密接する下舌状部２３とが設けられ、この上舌状部２２は先端部をあまり突出させず巻き込みを防止しながら受圧面積を広くする為に、根元部を内方にく字状に切欠いて形成している。
【００１１】
又パッキン１５のほぼ中央部には、パッキン１５の伸縮を吸収する内方に突出した伸縮吸収部２４が形成され、この突部の深さはパッキン１５の肉厚の２倍以内として、収縮力を抑え上・下舌状部２２・２３のシ−ル性を良好としている。
前記基部８はその周縁を下方に屈曲させると共に、一方は軸２５を支持するカ−リング状の支持部２６を設け、対応する固定板４の端部にも軸２５を支持するカ−リング状の支持部２７を設け、更に各支持部２６・２７のいずれか一方の内径は他の内径より大径として遊びを持たせている。
【００１２】
又前記軸２５には基部８をタンク本体１の反対方向に持ち上げるように作用する弾性部材２８が設けられ、基部８全体が軸２５を中心にして注油口キャップ７が注油口３を覆い、パッキン１５に密接するよう起伏自在に成す。
２９は固定板４から切り起こされた一対の支持片３０及び支持片３１に摺動自在に支持された係止ロットで、該支持片３０と係止ロット２９の略中央に固定されたＥリング３２の間に設けられ該係止ロット２９が挿通されたスプリング３３によって常に内側方向に弾設され、一端にはこのスプリング３３に反して係止ロット２９を摺動させる操作ボタン３４が備えられている。
【００１３】
上記支持片３０及び支持片３１には、丸孔３５及び該丸孔３５より小径の丸孔３６を形成すると共に、該丸孔３５に挿通する係止ロット２９の先端には直径を小さくして丸孔３６を挿通する先端部３７を設けて支持片３１と当接する段部３８を形成して、スプリング３３により該段部３８と支持片３１が当接するように常に係止ロット２９が付勢されている。
【００１４】
３９は基部８側で係止ロット２９と対向する位置に備えられたフック金具で、切り起こされた軸支片４０に挿通する支軸４１に回動自在に取り付けられ、基部８を押して注油口３を閉じる際、フック金具３９がバネ４２に反して回動し、先端の略Ｕ字状のカギ形部４３で係止ロット２９と係止するもので、更にこのフック金具３９には係止完了を「パチン」という音で報知する為に基部８と当接する当接部４４が形成されている。
【００１５】
４５は石油燃焼器具２の一側方に設けたタンク室で、下方には油受皿４６を位置させ、そのほぼ中央より押上ピン４７を立設し、タンク本体１を倒立して載置させ、燃焼に必要な燃油を供給し燃焼筒４８で燃焼させる。
【００１６】
４９はタンク本体１の注油口３とは反対側の上面に起伏自在に取り付けられた取手で、タンク本体１をタンク室４５より出し入れする時に使用されるものであり、５０は注油口３側に備えられた起伏自在の注油口側取手で、主に給油後のタンク本体１の天地を逆にする時に使用するもので、常に基部８の軸２５側の伏せ方向に付勢する付勢手段５１を備え、伏せ時には注油口取手５０はタンク本体１外周から出っ張ることがなく、且つ基部８の上面より突出しないように位置させ、持ち運び時やタンク室４５への収納時に邪魔にならないようにしているものである。
【００１７】
次にタンク本体１が空となり給油が必要となった場合には、取手４９を持ってタンク室４５からタンク本体１を取り出して運び、給油場所で或いは途中で注油口側取手５０をもう一方の手で持って、天地を逆にしてから運んだり、逆にした状態で床に置いて給油を開始するものであり、空の状態では軽いので注油口側取手５０を持たなくても天地の逆は容易に行われるものである。
【００１８】
又この注油口側取手５０は、手を離せば付勢手段５１によって基部８の軸２５側に伏せられ邪魔にならず、そして係止ロット２９の操作ボタン３４を引っ張れば、基部８が弾性部材２８の弾性力で軸２５を支点に回動して、注油口３を開口するものであり、この状態でホースポンプ等でタンク本体１への燃油の給油が行われ、手を汚すことなく給油が簡単に出来るものである。
【００１９】
給油が完了した後は、手で軽く基部８を係止ロット２９側へ押圧すると係止ロット２９の先端部３７とフック金具３９が当接し、更に手で押していくと係止ロット２９に押されてバネ４４に反して支軸４１を中心にフック金具３９が回動する。
【００２０】
そしてフック金具３９のカギ形部４５が係止ロット２９の先端部３７の位置にくるまでフック金具３９が回動すると、フック金具３９がバネ４４の付勢により逆方向に回動してカギ形部４５に係止ロット２９の先端部３７が係合して注油口３と注油口キャップ７が密接し、閉める時も手を汚す心配がないものです。
この時、フック金具３９の当接部４６が基部８と当接して「パチン」という音を発して、係止が完了した状態であることを報知する。
【００２１】
次に給油して重くなったタンク本体１は、注油口側取手５０を持つことで、容易に持ち上げることが出来、持ち上げられたタンク本体１の反対側にもう一方の手を回して、自重で垂れ下がっている取手４９を持ち、ゆっくりと天地を逆にすれば、落としたりぶつけたりする危険もなく、極めて安全に天地を逆に出来るものであり、後はこのタンク本体１をタンク室４５に収納すれば良いものである。
【００２２】
従って、注油口側取手５０を備えたことで、給油後のタンク本体１の取り扱いが容易になったことは勿論、この注油口側取手５０は、伏せ状態ではタンク本体１外周より出っ張らず、且つ基部８上面より突出しないので、タンク室４５からの出し入れの邪魔になったり、何処かにぶつかったりする心配がなく、スムーズな出し入れが行われるものであり、又注油口側取手５０を設けたとしても、押上ピン４７との寸法関係には変化がないので、従来通りの設計仕様で良くそのまま使用出来るので大変使用勝手が良いものである。
【００２３】
更に注油口側取手５０は、常に伏せ方向に付勢する付勢手段５１を備えると共に、伏せ時には基部８の軸２５側に位置するようにすれば、注油口側取手５０が基部８の回動を邪魔して注油口３の開口が出来なくなる心配がなく、常に確実に開口出来るので安心して使用可能である。
【図面の簡単な説明】
【００２４】
【図１】この発明一実施形態を付したタンク本体の開蓋状態の要部斜視図。
【図２】同器具内にセットした状態の要部断面図。
【図３】同器具内にセットした状態で一部を切欠いた器具の正面図。
【図４】同タンク本体の天地を逆にする時の説明図。
【符号の説明】
【００２５】
１  タンク本体
３  注油口
４  固定板
７  注油口キャップ
８  基部
２５  軸
２９  係止ロット
３９  フック金具
４９  取手
５０  注油口側取手
５１  付勢手段
【図１】
2005188895.tif 000003
【図２】
2005188895.tif 000004
【図３】
2005188895.tif 000005
【図４】
2005188895.tif 000006